(57)【要約】      （修正有）【課題】既設の電力系統に変更を加えずに、電力供給時のグランド線に電磁誘導されるノイズの対策に行う。【解決手段】ノイズ浄化素子と、保護ケースと、を有している。ノイズ浄化素子は、アースラインと、バイパスラインと、を有している。アースラインは、低周波電流、及び周波数の如何に拘わらず磁気飽和領域の電流値をもつ電流に対して低インピーダンスを示し、磁気飽和を起こさない領域の電流値をもつノイズ電流及び高周波電流のアースライン上での流れを阻止する高インピーダンスを示すトロイダル・コアを有している。バイパスラインは、ノイズ電流及び高周波電流を熱に変換する熱変換素子を有ししている。保護ケースの放熱片は、熱変換素子が熱変換する際に発する熱を放熱する。グランド線を含む多芯ケーブルには、雄型プラグ或いは雌型プラグが接続されている。【選択図】図１
2008098945.tif 000002
【特許請求の範囲】
【請求項１】
電子機器に生じる低周波電流及び高周波電流、及びグランド線に電磁誘導されるノイズ電流を処理するノイズ浄化デバイスであって、
ノイズ浄化素子と、保護ケースと、を有し、
前記ノイズ浄化素子は、前記ケース内で前記グランド線を回線接続するアースラインと、前記アースラインに併設したバイパスラインと、を有し、
前記アースラインは、前記低周波電流、及び周波数の如何に拘わらず磁気飽和領域の電流値をもつ電流が流れることで低インピーダンスを示すと共に、磁気飽和を起こさない領域の電流値をもつ前記ノイズ電流及び前記高周波電流の前記アースライン上での流れを阻止する高インピーダンスを示すトロイダル・コアを有し、
前記バイパスラインは、磁気飽和を起こさない領域の電流値をもつ前記ノイズ電流及び前記高周波電流を熱に変換する熱変換素子を有し、
前記保護ケースは、熱変換素子が熱変換する際に発する熱を放熱する放熱片を含み、
前記グランド線は、多芯ケーブルに含まれ、雄型プラグ或いは雌型プラグが前記多芯ケーブルの一端に接続され、雄型プラグ或いは雌型プラグと対をなすプラグが前記多芯ケーブルの他端に接続されていることを特徴とするノイズ浄化デバイス。
【請求項２】
前記対をなすプラグの一方が前記ケースの板面に配置された、請求項１に記載のノイズ浄化デバイス。
【請求項３】
前記アースライン及び前記バイパスラインは、グランド線と電子機器との接続箇所に接近して配置される、請求項１に記載のノイズ浄化デバイス。
【請求項４】
前記放熱片は、前記トロイダル・コアに嵌め込まれる柱状部と、前記熱変換素子が密着される受熱面とを有する、請求項１に記載のノイズ浄化デバイス。
【請求項５】
前記熱変換素子の電気抵抗値は、電子機器の浮遊容量と前記トロイダル・コアとでの直列共振を停止するための抵抗値より大きい抵抗値であって、浄化すべきノイズ環境におけるノイズ周波数の下での前記トロイダル・コアのインダクタンスより小さい値に設定した、請求項１に記載のノイズ浄化デバイス。
【請求項６】
電子機器に生じる低周波電流及び高周波電流、及びグランド線に電磁誘導されるノイズ電流を処理するノイズ浄化デバイスに組み込み可能なノイズ浄化素子であって、
前記ノイズ浄化素子は、グランド線と電子機器との接続箇所に接近して配置され、前記グランド線を回線接続するアースラインと、前記アースラインに併設したバイパスラインと、を有し、
前記アースラインは、前記低周波電流、及び周波数の如何に拘わらず磁気飽和領域の電流値をもつ電流が流れることで低インピーダンスを示すと共に、磁気飽和を起こさない領域の電流値をもつ前記ノイズ電流及び前記高周波電流の前記アースライン上での流れを阻止する高インピーダンスを示すトロイダル・コアを有し、
前記バイパスラインは、磁気飽和を起こさない領域の電流値をもつ前記ノイズ電流及び前記高周波電流を熱に変換する熱変換素子を有し、
前記熱変換素子の電気抵抗値は、電子機器の浮遊容量と前記トロイダル・コアとの直列共振を停止するための抵抗値より大きい抵抗値であって、浄化すべきノイズ環境におけるノイズ周波数の下での前記トロイダル・コアのインダクタンスより小さい値に設定した、ことを特徴とするノイズ浄化素子。
【発明の詳細な説明】
【技術分野】
【０００１】
本発明は、グランド線に電磁誘導されるノイズを浄化するノイズ浄化デバイス及びノイズ浄化デバイスに組み込み可能なノイズ浄化素子に関する。
【背景技術】
【０００２】
パソコン等の電子機器に電力供給を行う環境では、２本の電線と１本のグランド線とを有する３芯ケーブルを用いられる場合が多く見られる。この種の３芯ケーブルは、一端に雄型の３Ｐプラグが接続され、他端に雌型の３Ｐプラグが接続され、電源とパソコン等の機器との間に配線される。
【０００３】
電源からの電力供給を行う場合、１つの電源からの電力供給を分岐して行うために、複数のコンセントを備えたテーブルタップを用いる場合がある。この種のテーブルタップが用いられる環境、すなわち低圧系統では、落雷による誘起作用によって雷サージ電圧が発生する場合がある。そのため、テーブルタップに雷保護素子を組み込んだものが開発されている（特許文献１，２）。
【０００４】
雷保護素子を組み込んだテーブルタップを用いることにより、３芯ケーブルの２本の電線に誘導される雷サージ電圧から電子機器をテーブルタップで遮断することができることとなる。
【０００５】
ところで、テーブルタップには、複数本の３芯ケーブルの雄型プラグが差し込まれるため、３芯ケーブルが隣接して林立することとなる。３芯ケーブルの２本の電線に電流が流れると、磁場が発生し、その磁界が隣接する他の３芯ケーブルのグランド線に影響を及ぼす。また、電子機器が使用される環境では、直流磁場、交流磁場などが発生している場合もある。
【０００６】
電子機器の使用環境内で各種の磁場が発生すると、これらの磁場が原因となって、３芯ケーブルのグランド線に電磁誘導電流が伝わりやすく、これがノイズを生み出している。
【０００７】
２本の電力供給用の電線に生じるノイズを抑制する構成が特許文献３，４，５に開示され、アースラインとしてのグランド線に生じるノイズを抑制する構成が特許文献６に開示されている。
【特許文献１】特開２０００−３７０３５号公報
【特許文献２】特開２００３−４５５８８号公報
【特許文献３】実開昭５０−１２７３３６号公報
【特許文献４】実開昭６１−１４０６２０号公報
【特許文献５】特開平８−２６５０８５号公報
【特許文献６】特開２００３−１９８３０６号公報
【発明の開示】
【発明が解決しようとする課題】
【０００８】
しかしながら、特許文献３，４，５に開示されたノイズフィルタは、一方の電力供給用の電線に生じるノイズを他方の電力供給用の電線に通して電源側に帰還させて、ノイズが負荷に影響を与えるのを回避するものであり、これをグランド線に生じるノイズ対策に用いるためには、不可能である。何故ならば、電力供給用の電線に設けた抵抗器は、負荷に定格電力を供給するための電圧降下用であり、ノイズの熱消費のために定格出力の閾値を越えた電圧まで電圧降下させると、負荷側に定格出力が供給されなくなるためである。
【０００９】
特許文献６に開示されたノイズフィルタは、アースラインに誘導されるノイズを抑制できる基本的構成を対象とするものであり、既設の電力系統に組み込む際に改善の余地が残されている。
【００１０】
本発明の目的は、既設の電力系統に変更を加えずに、電力供給時のグランド線に電磁誘導されるノイズの対策に適合するノイズ浄化デバイス及びノイズ浄化デバイスに組み込み可能なノイズ浄化素子を提供することにある。
【課題を解決するための手段】
【００１１】
前記目的を達成するため、本発明に係るノイズ浄化デバイスは、  電子機器に生じる低周波電流及び高周波電流、及びグランド線に電磁誘導されるノイズ電流を処理するノイズ浄化デバイスであって、
ノイズ浄化素子と、保護ケースと、を有し、
前記ノイズ浄化素子は、前記ケース内で前記グランド線を回線接続するアースラインと、前記アースラインに併設したバイパスラインと、を有し、
前記アースラインは、前記低周波電流、及び周波数の如何に拘わらず磁気飽和領域の電流値をもつ電流が流れることで低インピーダンスを示すと共に、磁気飽和を起こさない領域の電流値をもつ前記ノイズ電流及び前記高周波電流の前記アースライン上での流れを阻止する高インピーダンスを示すトロイダル・コアを有し、
前記バイパスラインは、磁気飽和を起こさない領域の電流値をもつ前記ノイズ電流及び前記高周波電流を熱に変換する熱変換素子を有し、
前記保護ケースは、熱変換素子が熱変換する際に発する熱を放熱する放熱片を含み、
前記グランド線は、多芯ケーブルに含まれ、雄型プラグ或いは雌型プラグが前記多芯ケーブルの一端に接続され、雄型プラグ或いは雌型プラグと対をなすプラグが前記多芯ケーブルの他端に接続されている、ことを特徴とするものである。
【００１２】
本発明に係るノイズ浄化素子は、電子機器に生じる低周波電流及び高周波電流、及びグランド線に電磁誘導されるノイズ電流を処理するノイズ浄化デバイスに組み込み可能なノイズ浄化素子であって、
前記ノイズ浄化素子は、電子機器に生じる低周波電流及び高周波電流、及びグランド線に電磁誘導されるノイズ電流を処理するノイズ浄化デバイスに組み込み可能なノイズ浄化素子であって、
前記ノイズ浄化素子は、グランド線と電子機器との接続箇所に接近して配置され、前記グランド線を回線接続するアースラインと、前記アースラインに併設したバイパスラインと、を有し、
前記アースラインは、前記低周波電流、及び周波数の如何に拘わらず磁気飽和領域の電流値をもつ電流が流れることで低インピーダンスを示すと共に、磁気飽和を起こさない領域の電流値をもつ前記ノイズ電流及び前記高周波電流の前記アースライン上での流れを阻止する高インピーダンスを示すトロイダル・コアを有し、
前記バイパスラインは、磁気飽和を起こさない領域の電流値をもつ前記ノイズ電流及び前記高周波電流を熱に変換する熱変換素子を有し、
前記熱変換素子の電気抵抗値は、電子機器の浮遊容量と前記トロイダル・コアとの直列共振を停止するための抵抗値より大きい抵抗値であって、浄化すべきノイズ環境におけるノイズ周波数の下での前記トロイダル・コアのインダクタンスより小さい値に設定した、ことを特徴とするものである。
【発明の効果】
【００１３】
本発明によれば、ノイズ浄化素子が予めグランド線に取り付けられているため、プラグを用いて既設の電力系統に差し込む構成にすることにより、電気に素人のユーザにとっても、簡単にグランド線に電磁誘導されるノイズ及び電子機器に生じる高周波短絡電流を除去でき、ノイズなどによる影響を受けない電子機器の環境を容易に構築することができる。
【発明を実施するための最良の形態】
【００１４】
以下、本発明の実施形態を図に基づいて詳細に説明する。
【００１５】
アースに関する国内規格では、グランド線のＤＣ抵抗値として、「Ａ種：ＤＣ抵抗値１０Ω以下、Ｄ種：ＤＣ抵抗値１００Ω以下」に設定することが規定されている。また、アメリカの安全規格（UL1283-ElectroMagnetic interference filter）の「Grounding Continuity」の項目には、「周波数６０Ｈｚの電流を２５Ａ流した場合に、アース線に余分な抵抗値を持たせない」という主旨の内容が規定されている。このＵＬ規格は、電気機器の国際安全規格ＩＥＣに基づくものである。前記国際安全規格ＩＥＣにおいて、アースの導通について、種々の規格が分類して規定されている。これらの規格に共通する内容は、「大きな電流をアースに流した際に、大電流の流れを阻害するような抵抗が生じないようにする」ということである。
【００１６】
電子機器が設置され、その電子機器がグランド線で接地されると、電子機器を取り囲む空間には、ノイズ環境が形成される場合がある。前記ノイズ環境について考察する。短絡事故等が電子機器に起きると、短絡電流が電子機器に生じる。従来、前記短絡電流は、低周波電流であって、大電流値を示すものとして取り扱われていた。短絡電流は突発的に生じるのであって、恒常的に発生するものではない。
【００１７】
本発明者は、よりよくノイズ環境を浄化するため、短絡電流について周波数分析を行った。その結果、前記短絡電流には、大電流の電流成分に加えて、高周波の電流成分も含まれていることが分かった。この高周波の電流成分は、短絡電流の電流値ほど大電流値を示すものではないが、かなりの電流値を示す場合があることを突き止めた。さらに、本発明者は、商用電源周波数に近似する低周波の電流が電子機器に生じており、これが電子機器にノイズとして作用して、電子機器の動作に影響を与える場合があることも突き止めた。さらに、本発明者は、グランド線には、その距離にもよるが、ノイズ環境のノイズが電磁誘導によってノイズ電流として伝わる可能性があることを突き止めた。
【００１８】
そこで、本発明者は、電子機器に生じる低周波電流及び高周波電流、及びグランド線に電磁誘導されるノイズ電流を処理するノイズ浄化デバイスを意図したものである。具体的に説明する。
【００１９】
実施形態に係るノイズ浄化デバイスは図１（ａ）に示すように、電子機器に生じる低周波電流及び高周波電流、及びグランド線に電磁誘導されるノイズ電流を処理するノイズ浄化デバイスであって、ノイズ浄化素子１と、ケース２と、を有している。以下の説明では、グランド線Ｇは、３芯ケーブル３に含まれるグランド線を例にとって説明するが、グランド線Ｇは、３芯ケーブル３に含まれるグランド線に限られるものではない。３芯ケーブル３は、２本の電力或いは信号伝送用の電線と、１本のグランド線Ｇとを備えているが、図１でのグランド線Ｇは、２以上の電力或いは信号伝送用の電線を備えた多芯ケーブルに含まれるグランド線であってもよいものである。また、グランド線Ｇの本数は１本に限られるものではない。
【００２０】
図２（ｂ）に示すように、３芯ケーブル３では、２本の電力或いは信号伝送用の電線が束ねられて外皮４で被覆され、外皮４で被覆された２本の電力或いは信号伝送用の電線と１本のグランド線Ｇとが束ねられて外皮５で被覆されている。３芯ケーブル３は、グランド線Ｇを除く他の電線が外皮４で被覆されたままでケース２に配線されている。グランド線Ｇは、図２（ｂ）に示すように、ケース２内で分断された対をなす端子Ｇ１，Ｇ２を有しており、それぞれ端子Ｇ１，Ｇ２には、ビス穴６ａ，７ａが開口された圧着端子６，７が圧着接続されている。
【００２１】
接続用プラグ８，９としては図１（ａ）、（ｂ）及び（ｃ）に示すように、雄型の３Ｐプラグ８と雌型のプラグ９とを用いている。雄型の３Ｐプラグ８は、２本のメインピン８ａ，８ｂ及び１本のグランドピン８ｃが端面に平行状態で植立されている。雌型の３Ｐプラグ９は、雄型３Ｐプラグ７のメインピン８ａ，８ｂとグランドピン８ｃとに対応させて差込口９ａ，９ｂ，９ｃが開口され、各差込口９ａ，９ｂ，９ｃには、それぞれ図示しないピン受けバネが組み込まれている。
【００２２】
３芯ケーブル３は、一端に雄型の３Ｐプラグ８、他端に雌型の３Ｐプラグ９がそれぞれ取り付けられる。３芯ケーブル３の２本の電線Ｓは、雄型３Ｐプラグ８のメインピン８ａ，８ｂに接続され、１本のグランド線Ｇは、雄型３Ｐプラグ８のグランドピン８ｃに接続されている。同様に、３芯ケーブル３の２本の電線Ｓは、雌型３Ｐプラグ９の差込口９ａ，９ｂ内に組み込まれたピン受けバネにそれぞれ接続され、１本のグランド線Ｇは、雌型３Ｐプラグ９の差込口９ｃ内に組み込まれたピン受けバネに接続されている。なお、実施形態では、３芯ケーブル３に３Ｐプラグ８，９を取り付けたが、これに限られるものではない。例えば、３芯ケーブル３を電子機器或いは電源に直接接続する場合には、雄型３Ｐプラグ８、雌型３Ｐプラグ９は、必要としないものである。
【００２３】
ノイズ浄化素子１は図１（ａ）及び図２（ｃ）に示すように、ケース２内でグランド線Ｇを回線接続するアースラインＳ１と、アースラインＳ１に併設したバイパスラインＳ２とを有している。
【００２４】
アースラインＳ１は図１（ａ）及び図２（ａ）、（ｃ）に示すように、トロイダル・コア１０を有している。トロイダル・コア１０は図２（ａ）に示すように、リング状コア１０ａに巻線１０ｂが施された構造のものであって、コア１０ａの材料及び巻線１０ｂの巻き数などを調整することで、電子機器に発生する低周波電流、及び周波数の如何に拘わらず磁気飽和領域の電流値をもつ電流が流れることで低インピーダンスを示すと共に、磁気飽和を起こさない領域の電流値をもつグランド線Ｇ上のノイズ電流及び電子機器に生じる高周波電流がアースラインＳ１上に流れるのを阻止する高インピーダンスを示す特性のものに構成してある。
【００２５】
アースに関する国内規格では、グランド線のＤＣ抵抗値として、「Ａ種：ＤＣ抵抗値１０Ω以下、Ｄ種：ＤＣ抵抗値１００Ω以下」に設定することが規定されている。国際規格であるＩＥＣでは、周波数６０Ｈｚの電流を２５Ａ流した場合にグランド線に、大電流の流れを阻止する抵抗が生じないようにする主旨が規定されている。これらの規定に基づけば、磁気飽和をしない領域の５０Ｈｚ、６０Ｈｚ乃至それ以上の交流電流に対してインピーダンスが０．１Ω以上であり、直流電流に対しては、銅線のみの抵抗値であって、０．１Ω以下となる。これらの規定に適合させるために、実施形態では、電子機器に発生する低周波電流、及び周波数の如何に拘わらず磁気飽和領域の電流値をもつ電流が流れることでトロイダル・コア１０が示す低インピーダンスを設定している。トロイダル・コア１０が示す低インピーダンスは、トロイダル・コア１０のリング状コア１０ａのコア材と巻線１０ｂの巻き数などを調整することで得ている。なお、前記低インピーダンスの値は、国際安全規格ＩＥＣに分類して定められている電気機器の種類に対応させて、アースの導通に関する規格に変更設定する。
【００２６】
トロイダル・コアは、一般的に通信回路、或いは伝送線路などに用いられるものである。トロイダル・コアに電流が恒常的に流れる場合、電流の激増のため回路が破壊されたり、発熱のためにコア自身が割れたりして大変危険である。損失の少ないコア材を使う限り通常の使用電流でコアの温度がキューリ温度に達することはあまりない。この通常の使用電流とは磁束密度が飽和磁束密度の及ぶことのない電流値を意味する。以上のように、トロイダル・コアに電流が恒常的に流れる場合、磁束密度が飽和磁束密度に達しない、すなわち磁気飽和を起こさない範囲での使用を目的とするものである（トロイダル・コア活用百科；ＣＱ出版）。
【００２７】
これに対して、実施形態では、短絡事故などによって電子機器に生じる低周波電流は突発的に流れ、恒常的に流れるのではないことに着目し、しかも、大電流値の電流がトロイダル・コア１０に流れても瞬間的であり、そのような電流では、リング状コア１０ａの温度がキューリ温度に達するために必要な熱容量を得ることは不可能であることを突き止めた。そして、トロイダル・コアの一般的な構成と相反する構成、すなわち、磁気飽和することを積極的に利用するものであり、電子機器に発生する低周波電流、及び周波数の如何に拘わらず磁気飽和領域の電流値をもつ電流が流れることでアースライン規格の０．１Ω以下の低インピーダンスを示すと共に、磁気飽和を起こさない領域の電流値をもつグランド線Ｇ上のノイズ電流及び電子機器に生じる高周波電流がアースラインＳ１上に流れるのを阻止する高インピーダンスを示す特性に構成してある。
【００２８】
アースラインＳ１に併設したバイパスラインＳ２は、磁気飽和を起こさない領域の電流値をもつグランド線Ｇのノイズ電流、及び電子機器に生じる高周波電流を熱に変換する熱変換素子１１を有している。アースラインＳ１及びバイパスラインＳ２は、グランド線Ｇが電子機器に接続される箇所に接近させて配置されている。
【００２９】
熱変換素子１１の電気抵抗値Ｒは、電子機器の浮遊容量とトロイダル・コア１０とでの直列共振を停止する抵抗値より大きい抵抗値であって、浄化すべきノイズ環境におけるノイズ周波数の下でのトロイダル・コア１０のインダクタンスＬより小さい値に設定する。熱変換素子１１は、その電気抵抗値Ｒが以上の条件を満たす必要がある。一般的に電気抵抗値Ｒを主要な構成とする部品としては抵抗器が存在しているため、その抵抗値が前記電気抵抗値Ｒをもつ抵抗器を熱変換素子１１として用いているが、これに限られるものではない。固有の電気抵抗値が前記電気抵抗値Ｒの条件を満たすものであれば、抵抗器以外の部品を熱変換素子１１として用いてもよいものである。
【００３０】
ここで、熱変換素子１１の電気抵抗値Ｒについて考察する。電子機器が工場などに設置されると、電子機器と大地との間に浮遊容量が存在することとなる。この浮遊容量は、経験的に推測される。この浮遊容量の容量値Ｃを考慮に入れて、ノイズ浄化素子を、グランド線Ｇが設置された大地側か
ら見たインピーダンスＺｉｎ は、
2008098945.tif 000003
2008098945.tif 000004
2008098945.tif 000005
2008098945.tif 000006
−ｊ を分子、分母にかけると、
2008098945.tif 000007
【００３１】
次にＲ−ｊωＬ を分子、分母にかけると、
2008098945.tif 000008
2008098945.tif 000009
2008098945.tif 000010
となる。
この回路における直列共振は、(1)式の虚数部が０となる角周波数ωｒ 近傍で生じるから、ω＝ωｒ とすると、
2008098945.tif 000011
2008098945.tif 000012
2008098945.tif 000013
2008098945.tif 000014
したがって、トロイダル・コア１０と浮遊容量との直列共振を停止させるための抵抗値Ｒは、
2008098945.tif 000015
となる。
【００３２】
2008098945.tif 000016
の条件は、トロイダル・コア１０と浮遊容量との直列共振を停止させるための抵抗値であり、抵抗器での電圧降下を最小限とする、すなわち、抵抗器での電力消費を最小限とするためのものである。
【００３３】
実施形態では、熱変換素子１１として用いた抵抗器では、電圧降下を最小限とするものではなく、電圧降下を最大限とする、すなわち、ノイズ及び高周波短絡電流の大部分を熱に変換することを意図するものであるため、
2008098945.tif 000017
の条件に制限されることはない。
そこで、実施形態では、
2008098945.tif 000018
の条件、すなわち、電子機器の浮遊容量とトロイダル・コアとでの直列共振を停止する抵抗値より大きい抵抗値に設定している。
【００３４】
次に、磁気飽和を起こさない領域の電流値をもつ、グランド線Ｇに電磁誘導されるノイズ及び電子機器に生じる高周波電流は、アースラインＳ１とバイパスラインＳ２とのインピーダンスの大小により、アースラインＳ１、又はバイパスラインＳ２のいずれかに流れる。さらに、トロイダル・コア１０のインピーダンスは、周波数に依存して変化するものであり、一義的に決められるものではない。したがって、熱変換素子１１の電気抵抗値Ｒと、トロイダル・コア１０のインタクタンスＬとの関係を特定するには、実施形態のノイズ浄化デバイスが設置されるノイズ環境でのノイズ周波数を特定する必要がある。ノイズ環境は、それぞれの環境でノイズ周波数が異なるものであるから、一義的に決められるものではないが、前記ノイズ及び前記高周波電流を、アースラインＳ１を避けてバイパスラインＳ２にのみ流す条件を求めることはできる。
【００３５】
そこで、実施形態では、前記ノイズ及び前記高周波電流を、アースラインＳ１を避けてバイパスラインＳ２にのみ流す条件を求めている。すなわち、浄化すべきノイズ環境における既知のノイズ周波数の下でのトロイダル・コア１０のインピーダンスより、熱変換素子１１のインピーダンスが小さい場合、前記ノイズ及び前記高周波電流は、アースラインＳ１に流れずにバイパスラインＳ２に流れることとなる。そこで、実施形態では、熱変換素子１１の電気抵抗値は、電子機器の浮遊容量とトロイダル・コア１０とでの直列共振を停止するための抵抗値より大きな抵抗値であって、浄化すべきノイズ環境におけるノイズ周波数の下でのトロイダル・コア３０のインピーダンスより小さい抵抗値に設定している。
【００３６】
次に、ケース２について説明する。ケース２の底板１２には図２（ａ）に示すように、放熱片１４を中央にして、その左右にケーブル支え１５，１５がケース内の高さ方向に隆起して形成されている。放熱片１４は、底板１２に取り付けられ、トロイダル・コア１０に嵌め込まれる柱状支持部１６と、熱変換素子１１に密着する受熱面１７とを有している。柱状支持部１６は、円筒状に形成され、トロイダル・コア１０の底面を支える鍔部１８を有しており、柱状支持部１６の頂部は閉塞され、その閉塞部に受熱面１７が形成されている。蓋１３の対向する位置には、３芯ケーブル３を通過させるための通し孔１９が形成されている。
【００３７】
底板１２には、トロイダル・コア１０及び熱変換素子１１とケース２とを電気的に絶縁する絶縁体２０が取り付けられている。絶縁体２０には、対向する位置に３芯ケーブル３をガイドするガイド部２１、２２と、トロイダル・コア１０を柱状支持部１６の鍔部１８に押し付ける圧着片２３とが設けられている。
【００３８】
３芯ケーブル３のグランド線Ｇは図２（ａ）、（ｂ）に示すように、ケース２内に対をなす端子Ｇ１，Ｇ２を有しており、その端子Ｇ１，Ｇ２には、ビス孔６ａ，７ａに通したビス２４で導電性の連結片２５，２６が結合されている。連結片２５，２６は絶縁体２０に固定されている。トロイダル・コア１０には柱状支持部１６に差し込まれて、トロイダル・コア１０の底部が鍔部１８で支えられ、絶縁体２０の圧着片２３で鍔部１８に押し付けられている。すなわち、トロイダル・コア１０は、柱状支持部１６の鍔部１８と絶縁体２０の圧着片２３とで高さ方向が規制され、柱状支持部１６で左右方向が規制されている。
【００３９】
トロイダル・コア１０の巻線１０ｂは、リング状コア１０ａに巻き付かれているから、その巻き始めの端部と、巻き終わりの端部とが存在している。熱変換素子１１として用いた抵抗器１１は、抵抗成分の両端から導線が引き出されている。そこで、トロイダル・コア１０のリング状コア１０ａに巻き付けた巻線１０ｂの一端（巻き始めの端部又は巻き終わりの端部）１０１と、抵抗器１１の一端（いずれか一方の導線）１１１とを束ねて、これを圧着片２７に圧着接続するとともに、トコイダル・コア１０のリング状コア１０ａに巻き付けた巻線１０ｂの他端（巻き終わりの端部又は巻き始めの端部）１０２と、抵抗器１１の他端（残りの導線）１１２とを束ねて、これを圧着片２８に圧着接続する。
【００４０】
２つの圧着片２７，２８のうち、一方の圧着片２７は、グランド線Ｇの対をなす一方の端子Ｇ１に取り付けられた連結片２５にビス２９で電気的に圧着接続され、他方の圧着片２８は、グランド線Ｇの対をなす他方の端子Ｇ２に取り付けられた連結片２６にビス２９で電気的に圧着接続されている。
【００４１】
熱変換素子１１は、トロイダル・コア１０を跨いだ状態で柱状支持部１６の頂部に形成された受熱面１７に圧着されている。熱変換素子１１と柱状支持部１６の受熱面１７との関係においては、２本の導線１１１，１１２の長さを調整して、連結片２５にビス止めされた圧着片２７，２８で熱変換素子１１の導線１１１，１１２を牽引することで、熱変換素子１１を柱状支持部１６の受熱面１７に圧着させている。
【００４２】
３芯ケーブル３は、ケース２の通し孔１９に通してケース２内に引き込まれ、絶縁体２０のガイド部２１、２２でガイドされることで、トロイダル・コア１０を跨いだ状態でケース２内に配線されている。ケース２内に配線された３芯ケーブル３は、ケーブル止め３０でケーブル支え１５，１５に固定されている。
【００４３】
蓋１３は、トロイダル・コア１０及び熱変換素子１１を覆って底板１２にブラインドリベットで固定され、トロイダル・コア１０及び熱変換素子１１は、蓋１３と底板１２とにより外部から隔離されている。
【００４４】
次に、実施形態のノイズ浄化デバイスの動作を図３に基づいて説明する。図３（ａ）は、グランド線が電子機器３１と大地との間を電気的に接続した状態を概念的に示している。図３（ｂ）は、電子機器に生じる低周波電流及び周波数の如何に拘わらず磁気飽和領域の電流値をもつ電流に対してトロイダル・コアが低インピーダンスを示した状態を概念的に示している。図３（ｃ）は、グランド線に電磁誘導されるノイズ電流及び、電子機器に生じる磁気飽和しない領域の電流値をもつ高周波電流に対してトロイダル・コアが高インピーダンスを示した状態を概念的に示している。
【００４５】
実施形態に係るノイズ浄化デバイスは、プラグ８，９のうち、短い３芯ケーブル３に取り付けたプラグ８又は９を電子機器に電気的に接続し、長い３芯ケーブル３に取り付けたプラグ９又は８を電源に電気的に接続する。これにより、グランド線Ｇは図３（ａ）に示すように、電子機器３１と大地との間を電気的に接続したことになる。
【００４６】
電子機器及び３芯ケーブル３がノイズ環境内に配置されると、電子機器に低周波電流及び高周波電流が突発的に生じる場合がある。さらに、ノイズ環境内のノイズがグランド線Ｇにノイズ電流として電磁誘導されてノイズがグランド線Ｇに伝わる場合がある。
【００４７】
トロイダル・コア１０は図３（ｂ）に示すように、電子機器側に生じる低周波電流に対してアースライン規格の０．１Ω以下の低インピーダンスを示す。さらに、トロイダル・コア１０は、周波数の如何に拘わらず磁気飽和領域の電流値をもつ電流に対して、リング状コア１０ａが磁気飽和を引き起こして、アースライン規格の０．１Ω以下の低インピーダンスを示す。
【００４８】
したがって、電子機器に生じる低周波電流、及び周波数の如何に拘わらず磁気飽和領域の電流値をもつ電流は、低インピーダンスを示したトロイダル・コア１０を抵抗なく通過し、アースラインＳ１からグランド線Ｇに流れる、大地に放出される。電子機器に生じた電流のうち、低周波電流、及び周波数の如何に拘わらず磁気飽和領域の電流値をもつ電流は大地に放出されるため、アースの安全性を確保することができる。
【００４９】
磁気飽和を起こさない領域の電流値をもつ、グランド線Ｇ上のノイズ電流及び電子機器に生じる高周波電流がトロイダル・コア１０に流れようとすると、トロイダル・コア１０は図３（ｃ）に示すように、これらの電流に対して高インピーダンスを示すため、これらの電流は、アースラインＳ１上に流れるのが阻止される。
【００５０】
電子機器に生じる電流のうち磁気飽和を起こさない領域の電流値をもつ、高周波電流及びグランド線Ｇ上に電磁誘導されるノイズ電流が存在する場合、これらの電流を浄化する必要がある。
【００５１】
アースラインＳ１には、バイアパスラインＳ２が併設されている。したがって、アースラインＳ１のインピーダンスと、バイパスラインＳ２のインピーダンスとの関係において、電子機器に生じる電流のうち磁気飽和を起こさない領域の電流値をもつ、高周波電流及びグランド線Ｇ上に電磁誘導されるノイズ電流は、アースラインＳ１とバイアパスラインＳ２とのいずれかを流れることとなる。
【００５２】
実施形態では、浄化すべきノイズ環境におけるノイズ周波数の下でのトロイダル・コア１０のインピーダンスより小さい抵抗値に設定している。そのため、バイパスラインＳ２のインピーダンスは、アースラインＳ１のインピーダンスよりも小さいため、電子機器に生じる電流のうち磁気飽和を起こさない領域の電流値をもつ、高周波電流及びグランド線Ｇ上に電磁誘導されるノイズ電流は、アースラインＳ１を迂回して、バイパスラインＳ２に流れる。
【００５３】
バイパスラインＳ２に設置された熱変換素子１１の電気抵抗値は、電子機器の浮遊容量とトロイダル・コア１０とでの直列共振を停止するための抵抗値より大きな抵抗値に設定されている。したがって、電子機器に生じる電流のうち磁気飽和を起こさない領域の電流値をもつ高周波電流、及びグランド線Ｇ上に電磁誘導されるノイズ電流は、熱変換素子１１により熱に変換される。
【００５４】
熱変換素子１１は、電子機器に生じる電流のうち磁気飽和を起こさない領域の電流値をもつ、高周波電流及びグランド線Ｇ上に電磁誘導されるノイズ電流を熱変換する際に発熱する。実施形態では、熱変換素子１１は、放熱片１４の受熱面１７に密着しているため、放熱片１４は、熱変換素子１１の熱を外部に放出する。
【００５５】
実施形態によれば、ノイズ浄化素子１が予めグランド線Ｇに取り付けられているため、プラグ８，９を用いて既設の電力系統に差し込む構成にすることにより、電気に素人のユーザにとっても、簡単にグランド線Ｇに電磁誘導されるノイズ及び電子機器に生じる低周波電流及び高周波電流を除去でき、ノイズなどによる影響を受けない電子機器の環境を容易に構築することができる。
【００５６】
一般的なトロイダル・コアは、磁気飽和を起こさない範囲での使用に設計されている。これに対して、実施形態では、トロイダル・コアを積極的に磁気飽和させる構成とすることで、電子機器に生じる有害な電流を大地に放出することで、アースの安全性を確保している。
【００５７】
すなわち、実施形態では、トロイダル・コア１０の磁気飽和を利用して、トロイダル・コア１０に低周波電流、及び周波数の如何に拘わらず磁気飽和領域の電流値をもつ電流が流れることでアースライン規格の０．１Ω以下の低インピーダンスを示す構成としているため、電子機器に生じる低周波電流、及び周波数の如何に拘わらず磁気飽和領域の電流値をもつ電流を、低インピーダンスを示したトロイダル・コア１０を抵抗なく通過させて、アースラインＳ１からグランド線Ｇに通して大地に放出されることができる。したがって、アースの安全性を確保できる。
【００５８】
さらに、実施形態では、熱変換素子１１の電気抵抗値を、浄化すべきノイズ環境におけるノイズ周波数の下でのトロイダル・コア１０のインピーダンスより小さい抵抗値に設定しているため、バイパスラインＳ２のインピーダンスは、アースラインＳ１のインピーダンスよりも小さく、電子機器に生じる電流のうち磁気飽和を起こさない領域の電流値をもつ、高周波電流及びグランド線Ｇ上に電磁誘導されるノイズ電流は、アースラインＳ１を迂回して、バイパスラインＳ２に流れる。バイパスラインＳ２に設置された熱変換素子１１の電気抵抗値は、電子機器の浮遊容量とトロイダル・コア１０とでの直列共振を停止するための抵抗値より大きな抵抗値に設定されている。したがって、電子機器に生じる電流のうち磁気飽和を起こさない領域の電流値をもつ、高周波電流及びグランド線Ｇ上に電磁誘導されるノイズ電流は、熱変換素子１１により熱に変換して、これらの電流を浄化できる。
【００５９】
実施形態によれば、保護ケース２は、熱変換素子１１が熱変換する際に発する熱を放熱する放熱片１４を含んでいるため、熱変換素子１１の発する熱を放熱することができる。
【００６０】
従来は、電子機器に発生した高周波電流を浄化しておらず、この高周波電流は野放し状態であった。この高周波電流を解析すると、短絡事故などによっては、この高周波電流は、トロイダル・コア１０を磁気飽和する電流値近傍の電流値を示すこともあり、作業者が電子機器に触れた際に、びりっと来たことを経験しており、これを野放し状態にするには危険が伴うものである。
【００６１】
実施形態では、熱変換素子１１の熱を放熱片１４で放熱しているため、前記高周波電流を熱変換素子１１で熱に変換したとしても、前記高周波電流による熱容量に対する熱変換素子１１の耐熱性を十分に確保することができ、従来野放しになっていた電子機器の高周波電流も確実に浄化することができる。これにより、ノイズ環境をよりよく改善することができる。
【００６２】
実施形態によれば、ケース２は、グランド線Ｇが図示しない電子機器に接続される箇所（図１では雌型３Ｐプラグ９の位置）に接近して配置される。すなわち、グランド線Ｇを図示しない電子機器に接続する雌型３Ｐプラグ９とケース２との間の距離をＤ１とし、グランド線Ｇを図示しない電源に接続する雄型３Ｐプラグ８とケース２との間の距離をＤ２とすると、Ｄ１＜Ｄ２の大小関係に設定されている。ノイズは、グランド線Ｇの長さが長くなることによるアンテナ効果によって、グランド線Ｇに電磁誘導される電流によって生じるものであるから、距離Ｄ１を短くすることで、ノイズ浄化素子１と雌型３Ｐプラグ９との間のグランド線Ｇによるアンテナ効果を排除し、ノイズ浄化素子１と雌型３Ｐプラグ９との間のグランド線Ｇに、雌型３Ｐプラグ９が接続される電子機器に影響を与えるノイズが電磁誘導されることを回避できる。
【００６３】
さらに、距離Ｄ２を長くすることで、ノイズ浄化素子１と雄型３Ｐプラグ８との間のグランド線Ｇによるアンテナ効果が発揮されて、ノイズ浄化素子１と雄型３Ｐプラグ８との間のグランド線Ｇにノイズが電磁誘導されることとなるが、このノイズは、ケース２内のノイズ浄化素子１で熱に変換して熱消費して浄化することができる。
【００６４】
図４（Ａ），（Ｂ）、図５（Ａ），（Ｂ）及び図６は、実施形態に係るノイズ浄化デバイスのケーブル３で電源と電子機器とを電気的に接続し、かつケーブル３のグランド線Ｇで電子機器をアースした場合と、ノイズ浄化デバイスを取り付けない場合とのアース電流の変化を示している。図４〜図６に示す特性図において、上方に示したアース電流は実施形態に係るノイズ浄化デバイスを取り付けない状態でのアース電流を示している。図４〜図６に示す特性図において、下方に示したアース電流は実施形態に係るノイズ浄化デバイスを取り付けた状態でのアース電流を示している。
【００６５】
図４，図５及び図６において、縦軸は電流値を、横軸は周波数を、それぞれ示している。縦軸の電流値は、ｄＢμＡの単位で示してあるから、２０ｄＢμＡは０．０１ｍＡ、４０ｄＢμＡは０．１ｍＡ、６０ｄＢμＡは１ｍＡ、８０ｄＢμＡは１０ｍＡ、１００ｄＢμＡは１００ｍＡに相当する。
【００６６】
ノイズ浄化デバイスが設置されたノイズ環境でのノイズ周波数は未知であるから、測定器の測定周波数を０Ｈｚから周波数を１０ＭＨｚまで変化させ、周波数毎にノイズ浄化デバイスの有無によるアース電流を比較した。また、熱変換素子１１の電気抵抗値は、電子機器の浮遊容量とトロイダル・コア１０とで直列共振を停止する抵抗値よりも大きい抵抗値であって、浄化すべきノイズ環境におけるノイズ周波数の下でのトロイダル・コア１０のインダクタンスより小さい値に設定している。ノイズ周波数を１０ＭＨｚまで変化させるため、トロイダル・コア１０のインダクタンスＬを６ｍＨ、熱変換素子１１の電気抵抗値Ｒを３．３ＫΩに設定している。しかし、トロイダル・コア１０のインダクタンスＬ及び熱変換素子１１の電気抵抗値Ｒは、一例を示すものであって、Ｒ≪ωＬを満たすことを条件として種々変更してもよいものである。
【００６７】
図４（Ａ）に示す周波数が１ＫＨｚまでの範囲では、ノイズ浄化デバイスがない場合には、アース電流の最低の電流値が約５０ｄＢμＡ（０．５ｍＡ）以上であり、最大で約８０ｄＢμＡ（１０ｍＡ）であり、その中間でのアース電流が鋸歯状に変化し、その電流値が約６０ｄＢμＡ（１ｍＡ）であり、周波数の異なるノイズ成分（グランド線Ｇに生じるノイズ及び電子機器に生じる低周波及び高周波電流を含む。以下、同じ）が存在することが分かる。実施形態に係るノイズ浄化デバイスを装備すると、アース電流の電流値が全体的に４０ｄＢμＡ（０．１ｍＡ）以下に下がった。比率では、アース電流の電流値を最大で１／１００以下の電流値に下げることができた。しかも、周波数１ＫＨｚまでのアース電流の電流値を平均して約４０ｄＢμＡ（０．１ｍＡ）以下に下げることができた。さらに特筆すべきことは、商用電源周波数、すなわち図４（Ａ）の０．０５ＫＨｚ付近でもアース電流が大幅に下がっていることである。実施形態では、商用電源周波数（図４（Ａ）の０．０５ＫＨｚ付近）での電流値１０ｍＡを１／１００の約４０ｄＢμＡ（０．１ｍＡ）まで低下させられる。したがって、電子機器に生じた低周波電流であっても、電子機器に影響を与えることを防止できる。
【００６８】
図４（Ａ）に示した特性の傾向は図４（Ｂ）に示すように、測定周波数が１０ＫＨｚまで同様に現れている。さらに図５（Ａ）に示すように、測定周波数を１００ＫＨｚまで上げると、アース電流の変化が緩慢になっている。これは、この周波数帯域では、ノイズがあまり発生していないことを示している。この場合においても、実施形態のノイズ浄化デバイスを装備すると、アース電流値を約０．０５ｍＡまで下げられることが分かる。これは、実施形態のノイズ浄化デバイスによるノイズの浄化が行われていることを意味する。
【００６９】
さらに図５（Ｂ）に示すように、測定周波数を１ＭＨｚまで上げると、ノイズ浄化デバイスを装備しない場合のアース電流の電流値と、ノイズ浄化デバイスを装備した場合のアース電流の電流値との差が接近する傾向を示している。この周波数帯域では、ノイズがあまり発生していないことを示している。この場合においても、実施形態のノイズ浄化デバイスを装備すると、アース電流値を約１／１０まで下げられることが分かる。これは、実施形態のノイズ浄化デバイスによるノイズの浄化が行われていることを意味する。
【００７０】
さらに図６に示すように、測定周波数を１０ＭＨｚまで上げると、ノイズ浄化デバイスの有無に拘わらず、アース電流の差が極めて縮まり、１０ＭＨｚに接近すると、アース電流同士が重なる傾向を示す。これは、測定周波数が３ＭＨｚを越えると、このような周波数帯域のノイズが存在しないことを示している。
【００７１】
以上のように、実施形態に係るノイズ浄化デバイスを装備することで、ノイズ環境でのアース電流を大幅に小さくすることができ、ノイズを浄化できることが分かる。
【００７２】
なお、以上説明した実施形態では、雄型３Ｐプラグ８を多芯ケーブル１の端部に取り付けるようにしたが、これに限られるものではない。図８に示すように、雄型３Ｐプラグ７を取り付けた多芯ケーブル１を複数に分岐させ、その分岐した多芯ケーブル１の先端にそれぞれ雌型３Ｐプラグ８を取り付け、これらの雌型３Ｐプラグ８をフィルタケース５に配列して、テーブルタップ形式として構成してもよいものである。その場合、ノイズ浄化素子２は、分岐していない多芯ケーブル１のグランド線Ｇに、分岐した多芯ケーブル１のグランド線Ｇに共通に配置してもよい。しかし、これに限られるものではない。分岐した多芯ケーブル１にも同様にノイズ浄化素子２を設けてもよいものである。また、図７に示すように雄型プラグ８及び雌型プラグ９をそれぞれ１個ずつ設けてもよいものである。
【００７３】
図７の構成によれば、電子機器１台毎にノイズ浄化デバイスを取り付けることで、電子機器単位でノイズ環境を改善することができる。図８の構成によれば、複数台の電子機器に対して１台のノイズ浄化デバイスを取り付けることで、複数台の電子機器を取り巻くノイズ環境を１台のノイズ浄化デバイスで改善することが可能となる。
【産業上の利用可能性】
【００７４】
本発明によれば、既設の電力系統を変更することなく装着してノイズを除去でき、しかも、一般消費者にとってもプラグの接続だけで取り付けることができ、産業上極めて有用なものである。
【図面の簡単な説明】
【００７５】
【図１】（ａ）は、本発明の実施形態に係るノイズ浄化デバイスを示す図であって、蓋を取外した状態を示す平面図、（ｂ）は雌型プラグを示す正面図、（ｃ）は雄型プラグを示す正面図である。
【図２】（ａ）は縦断面図、（ｂ）はグランド線の端子を示す図、（ｃ）は抵抗器とインダクタの配線状態を示す図である。
【図３】（ａ）は、グランド線が電子機器と大地との間を電気的に接続した状態を示す概念図、（ｂ）は、電子機器に生じる低周波電流及び周波数の如何に拘わらず磁気飽和領域の電流値をもつ電流に対してトロイダル・コアが低インピーダンスを示した状態を示す概念図、（ｃ）は、ゴランド線に電磁誘導されるノイズ電流及び、電子機器に生じる磁気飽和しない領域の電流値をもつ高周波電流に対してトロイダル・コアが高インピーダンスを示した状態を示す概念図である。
【図４】実施形態に係るノイズ浄化デバイスのケーブルで電源と電子機器とを電気的に接続し、かつケーブルのグランド線で電子機器をアースした場合と、ノイズ浄化デバイスを取り付けない場合とのアース電流を測定して、プロットした特性図である。
【図５】実施形態に係るノイズ浄化デバイスのケーブルで電源と電子機器とを電気的に接続し、かつケーブルのグランド線で電子機器をアースした場合と、ノイズ浄化デバイスを取り付けない場合とのアース電流を測定して、プロットした特性図である。
【図６】実施形態に係るノイズ浄化デバイスのケーブルで電源と電子機器とを電気的に接続し、かつケーブルのグランド線で電子機器をアースした場合と、ノイズ浄化デバイスを取り付けない場合とのアース電流を測定して、プロットした特性図である。
【図７】雄型プラグと雌型プラグとをそれぞれ１個設けた場合を示す図である。
【図８】１個の雄型プラグと複数の雌型プラグを設けた場合を示す図である。
【符号の説明】
【００７６】
１  ノイズ浄化素子
２  ケース
３  ３芯ケーブル
８  雄型３Ｐプラグ
９  雌型３Ｐプラグ
１０  トロイダル・コア
１１  熱変換素子
Ｓ１  アースライン
Ｓ２  バイパスライン
【図１】
2008098945.tif 000019
【図２】
2008098945.tif 000020
【図３】
2008098945.tif 000021
【図４】
2008098945.tif 000022
【図５】
2008098945.tif 000023
【図６】
2008098945.tif 000024
【図７】
2008098945.tif 000025
【図８】
2008098945.tif 000026